(57)【要約】【解決手段】地図のような、硬い紙等の材料でできたシート１０から作られている、折りたたみ可能な製品が提供されている。このシート１０は、折り線（１２，１３，１４，１９，２０，２３，２４）の所定のパターンによって、所定の折りたたまれた形態と折りたたまれたものが開かれた形態とを有する。この折り線は、折りたたんだり開いたりする間の、特定の領域内のストレスに応じて部分的には折り目、また部分的には穿孔線によって形成されている。【選択図】図５
2005500576.tif 000002
【特許請求の範囲】
【請求項１】
所定の折りたたまれた形態と所定の開かれた形態との間で使用される間に、繰り返し折りたたまれたり開かれたりすることに適用され、所定の材料でできたシートを具備する製品であって、このシートは、ラインを規定した折り線の所定のパターンを有し、これらラインに沿って製品が折られ、また、
前記折り線は、部分的な折り目と部分的な穿孔線とからなっており、これら折り目は、製品が折りたたまれたり開かれたりする際にかかる比較的大きなストレスを受ける場所に位置されている、所定の材料のシートから形成された折りたたみ可能な製品。
【請求項２】
前記折り線の少なくともいくつかは、シートのほぼ中心点から外方に放射状に延び、これら外方に放射状に延びた折り線の各々は、折り目部分並びに穿孔部分を有し、この折り目部分は、折り線の近くの部分に位置されており、前記中心点から外方に延びている、請求項１に記載の折りたたみ可能な製品。
【請求項３】
前記折り線の少なくともいくつかは、シートのエッジから延びており、このような折り線の各々は、折り目部分並びに穿孔部分を有し、前記延びている折り線の折り目部分は、前記折り線に沿ってシートの前記エッジから延びるように位置されている、請求項1または２に記載の製品。
【請求項４】
前記所定の開かれた形態は、実質的に平らに置かれたシートをなし、また、前記所定の折りたたまれた形態は、本のカバーを閉じるように、シートの主軸を中心とした閉じる動きによって一方が他方に重なったシートの２つの主要部をなし、
前記シートの折り線は、製品が所定の折りたたまれた形態へ折りたたまれたとき、直線的な外折り部並びに内折り部を規定し、これら内折り部は、主要部の閉じに関連して内方に一緒に延びており、前記外折り部は、２つの主要部の閉じに関連して外方に一緒に延びており、
前記シートの折り線は、シートのほぼ中心点で交わる４つの主外折り線を規定し、また対向する対の外折り線として配置され、そして、シートの中心点で交わる２つの主内折り線を規定し、また対向する対の内折り線として配置され、
主外折り線の各々は、末端にて、関連した主外折り線の方向から分岐してシートの夫々のエッジへと延びているような２つのエッジの外折り線に分かれており、
前記主外折り線の末端の各々は、関連した主外折り線の方向と同じ方向に沿って末端から延びてシートのエッジへと延びるエッジの内折り線を有している、請求項1に記載の製品。
【請求項５】
前記主外折り線を規定している折り線の各々は、折り目部分並びに穿孔部分を有し、この折り目部分は、この折り線に沿って中心から延びており、前記穿孔部分は、この折り線に沿って主外折り線の末端から延びている、請求４に記載の製品。
【請求項６】
前記主外折り部の折り線の折り目部分は、この主外折り線の長さの２５％ないし３０％の範囲の長さに沿って延びている請求項５に記載の製品。
【請求項７】
主内折り線を規定している折り線の各々は、２つの折り目部分並びに穿孔部分を有し、これら折り目部分の1つは、折り線に沿って中心から延びており、またもう1つは折り線に沿ってシートのエッジから延びており、前記穿孔部分は、折り線の中央部分に沿って延びている、請求４ないし６のいずれか1に記載の製品。
【請求項８】
前記シートのエッジから延びている折り目部分は、前記主内折り線の長さの３％ないし６％の範囲の長さに沿って延びている請求項３に記載の製品。
【請求項９】
前記シートの中心点から延びている主内折りの折り線の折り目部分は、前記主内折り線の長さの１０％ないし１５％の範囲の長さに沿って延びている請求項７または８に記載の製品。
【請求項１０】
エッジの外折り線を規定している折り線の各々は、折り目部分並びに穿孔部分を有し、この折り目部分は、この折り線に沿ってシートのエッジから延びており、前記穿孔部分は、この折り線に沿って主外折り線の末端から延びている、請求項４ないし９のいずれか1に記載の製品。
【請求項１１】
前記エッジの外折り部の折り線の折り目部分は、このエッジの外折り線の長さの５％ないし１５％の範囲の長さに沿って延びている請求項１０に記載の製品。
【請求項１２】
エッジの内折り線を規定している折り線の各々は、２つの折り目部分並びに２つの穿孔部分を有し、１つ目の穿孔部分は、前記折り線に沿って、前記主外折り線の中心の末端から延びており、１つ目の折り目部分は、前記折り線に沿ってシートのエッジから延びており、２つ目の穿孔部分並びに折り目部分は、前記折り線の中央部分に沿って延びている、請求項４ないし１１のいずれか１に記載の製品。
【請求項１３】
前記シートのエッジから延びている折り目部分は、前記エッジの内折り線の長さの５％ないし１０％の範囲の長さに沿って延びている請求項１２に記載の製品。
【請求項１４】
前記エッジの内折り部の折り線の２つ目の折り目部分は、このエッジの内折り線の長さの１０％ないし２０％の範囲の長さに沿って延びている請求項１２または１３に記載の製品。
【請求項１５】
各折り線の各折り目部分は、夫々の折り線の長さの３％ないし３０％の範囲の長さに沿って延びている請求項５ないし１４のいずれか1に記載の製品。
【請求項１６】
前記シートは、対向する側面の１対が他方の対向する側面の１対より長くてほぼ矩形であり、このシートの主軸は、これの長い方の側面に対して直交して位置されており、前記内折り線の対向する対もまた、矩形の長い方の側面に対して直交して位置されている、請求項４ないし１５のいずれか1に記載の製品。
【請求項１７】
前記エッジの外折り線の各々は、関連した外折り線の関連した末端点から関連したエッジに対して直交するように、関連したシートのエッジへと延びている請求項１６に記載の製品。
【請求項１８】
前記主外折りの各々は、隣接している内折り線に対して４５°の方向にシートの中心点から外方に延びている請求項１６または１７に記載の製品。
【請求項１９】
前記シートは、シートの２つの主要部の閉じ状態の際に、内側に面しているシートの側面に情報を表わす面を備えている前述の請求項のいずれか1に記載の製品。
【請求項２０】
前記シートの他側面の部分は、最初に述べたシートよりも硬い材料の裏打ちシートに取着されており、前記主軸を中心に折りたたむことによって硬い外部のシートが閉じられる際に、前記主要部は、本のように合わせられる一方で、シートのこの他の部分は、前記折り線の辺りを自由に折ることができ、これは、製品を閉じる際に、折りたたまれたシートが実質的に、前記主要部と実質的に同等な領域内の折りたたまれた硬い外部のシート内に全て含まれるように折られる、請求項１９に記載の製品。
【請求項２１】
前記情報を表わす面は、地図を有する請求項１９または２０に記載の製品。
【請求項２２】
実質的に添付の図面の図５を参照して説明したような折りたたみ可能な製品。
【発明の詳細な説明】
【技術分野】
【０００１】
本発明は、単にカバーの開け閉めによって、使用される間、繰り返し折りたたまれたり開かれたりすることに適用された、材料のシートで形成された折りたたみ可能な製品に関する。本発明は特に折りたたみ可能な地図に関しているが、これのみに限定される訳ではない。
【背景技術】
【０００２】
例えば、折りたたみ可能な地図のような、使用される間繰り返し折りたたまれたり開かれたりすることが必要とされる、硬い紙のようなシート材からできている折りたたみ可能な製品の様々な形態を提供する方法が既に知られている。一般的には、折りたたみ可能な地図の単純な形態では、地図は、矩形であり、この地図の長手方向に沿って延びた１つ以上の長手方向の折り線に沿って折りたたまれ、この後この地図の長手方向と直交するような１つ以上の横の折り線に沿って横に折りたたまれる。本発明は、特に、しかし限定はされないが、星型折りの地図（star-folded  map）として知られている、比較的複雑な形態の折りたたみ式地図に関している。このような地図では、一連の内折り並びに外折りの折り部が形成されており、これらの折り部は、主にシートの中心点で交わる折り線に沿っており、またシートのエッジに向かって位置された二次的な折り線をも有している。これらの配置は、地図が所定の折り状況によって折られたとき、シートの２つの主要部は、本のカバーを閉じるような閉じる動きによって、一方の部分が他方の部分に重なる。また地図のもう一方の部分は、シートの２つの閉じられた主要部の間に閉じられるようにして、自動的に内側に折りたたまれる。このような方法によって、広げられた地図に比べてずっと小さな面積のものに折りたたまれることが可能であり、本のカバーを閉じるのと似た単なる閉じる動きによって折りたたまれることが可能である。星型折りの地図のシートの一例は、ＵＳ−Ａ−４,６３６,１９２に開示されている。
【発明の開示】
【発明が解決しようとする課題】
【０００３】
星型折りの地図のような折りたたみ可能な製品の製造においては、シートには、ラインを規定した折り線の所定のパターンが形成されており、これらラインに沿って製品が折られる。従来より、これは、シート上に単なる刻み目または折り目線をつけることによって達成される。シート上に、折り線が形成された後、製品は、商業的な製品を製造するために、手動もしくは機械によって初めて折られる。しかし、折り線へ単なる刻み目または折り目をつけることは、しばしば商業的に可能な程度よりも、非常に正確ではない折り線を生じさせる。折り線が完全に平たく圧せられることを確実にすることの要件による、長い製造完成時間が必要とされるばかりではない。もし刻み目または折り目線が、尖鋭なエッジを有して平らに完成されないときは、紙はこの線に沿って崩れ、結果、カバーが閉じられたとき紙に損傷を与える。
【０００４】
時として使用される他の方法は、全ての折り線に沿って穿孔することである。これによって、比較的厚い紙を使用したときに、より正確な折りたたみが得られるものの、用紙が開かれたときに生じるかなりのストレスによって、穿孔線が往々にして破けるという欠点をも生じる。
【０００５】
本発明の目的は、穿孔によって用紙が破けるという問題が解消または低減された、改良された折りたたみ可能な製品を提供することである。また、用紙に刻み目または折り目をつけることによって、現在提供されているものよりも短い製造時間を可能にすることである。
【課題を解決するための手段】
【０００６】
本発明によると、材料のシートで形成された折りたたみ可能な製品が提供されており、これは、所定の折りたたまれた形態と開かれた形態との間で使用される間、繰り返し折りたたまれたり開かれたりするように適用された材料のシートと、製品が折りたたまれるようなラインを規定した、折り線の所定のパターンを有するシートとを具備しており、このシート内では、折り線は、部分的には折り目と部分的には穿孔線とで形成されており、この折り目は、製品が折りたたまれたり開かれたりする間に比較的大きなストレスを受ける場所に、位置されている。
【０００７】
本発明のより好ましい構成では、折り線の少なくともいくつかは、シートのほぼ中心点から外方に放射状に延びて、外方に放射状に延びた折り線の各々は、折り目部分並びに穿孔部分を有し、この折り目部分は、この中心点から外方に延びている折り線の近くの部分に位置されている。そしてまた好ましい構成では、折り線の少なくともいくつかは、シートのエッジから延びており、このような折り線は、折り目部分並びに穿孔部分を有し、前記延びている折り線の折り目部分は、折り線に沿って、シートの前記エッジから延びるように位置されている。
【０００８】
本発明は、いわゆる星型折りの形状の折りたたみ可能な製品において、格別な適用を見出す。この形状においては、所定の開かれた形態が、実質的には平らに置かれているシートをなし、所定の折りたたまれた形態が、シートの２つの主要部の一方が他方に重なるような、２つの主要部をなしている。これは、本のカバーを閉じるようにシートの主軸を中心とした閉じる動きによって、なされている。シートの折り線は、製品が、所定の折りたたまれた形態へと折りたたまれたとき、直線的な外折り線並びに内折り線を規定している。前記内折り線は、主要部の閉じに関連して内方に一緒に延び、前記外折り線は、２つの主要部の閉じに関連して外方に一緒に延びる。前記シートの折り線は、シートの折り線を規定しており、これらは、シートのほぼ中心点で交わり、対向する対の外折り線となるよう配置された４つの主外折り線と、シートの中心点で交わり、対向する対の内折り線となるよう配置された２つの主内折り線とを規定している。各々の主外折り線は、末端にて、２つのエッジの外折り線に分かれ、これは関連した主外折り線の方向から分岐してシートの夫々のエッジへと延びるようなる。前記主外折り線の末端の各々は、関連した主外折り線の方向と同じ方向に沿って末端から延びて、シートのエッジへと延びるエッジの内折り線を有している。
【０００９】
このような星型折りの製品では、主外折り線を規定している各々の折り線は、折り目部分並びに穿孔部分を有することが好ましい。前記折り目部分は、折り線に沿って中心（Ｍ）から延び、前記穿孔部分は、折り線に沿って主外折り線の末端から延びている。好ましくは、主外折り部の折り線の折り目部分は、主外折り線の長さの２５％ないし３０％の範囲、好ましくは約２７％の長さに沿って延びている。
【００１０】
主内折り線を規定している各々の折り線は、２つの折り目部分並びに1つの穿孔部分を有することが好ましい。前記折り目部分は、折り線に沿って中心（Ｍ）から延びており、また、折り線に沿ってシートのエッジから延びており、前記穿孔部分は、折り線の中央部分に沿って延びている。好ましくは、シートのエッジから延びたこの折り目部分は、主内折り線の長さの３％ないし６％の範囲、好ましくは約４％の長さに沿って延びている。また、シートの中心点から延びた、主内折り部の折り線の折り目部分は、主内折り線の長さの１０％ないし１５％の範囲、好ましくは約１１％の長さに沿って延びている。
【００１１】
また、エッジの外折り線を規定している各々の折り線は、折り目部分並びに穿孔部分を有することが好ましく、前記折り目部分は、折り線に沿ってシートのエッジから延びており、前記穿孔部分は、折り線に沿った主外折り線の末端から延びている。好ましくは、このエッジの外折り部の折り線の折り目部分は、エッジの外折り線の長さの５％ないし１５％の範囲、好ましくは約１０％の長さに沿って延びている。
【００１２】
更に、エッジの内折り線を規定している各々の折り線は、２つの折り目部分並びに２つの穿孔部分を有することが望ましい。１つ目の穿孔部分は、折り線に沿って主外折り線の中心の末端から延びており、１つ目の折り目部分は、折り線に沿ってシートのエッジから延びており、２つ目の穿孔部分並びに折り目部分は、折り線の中央部分に沿って延びている。好ましくは、シートのエッジから延びている折り目部分は、エッジの内折り線の長さの５％ないし１０％の範囲、好ましくは約８％の長さに沿って延びている。また、シートの中心点から延びている主内折り部の折り線の折り目部分は、主内折り線の長さの１０％ないし１５％の範囲、好ましくは約１６％の長さに沿って延びていることが好ましい。
【００１３】
要約すると、全般的には、この発明を具体化している星型折りの形状の折りたたみ可能な製品においては、各折り線の各折り目部分は、夫々の折り線の長さの３％ないし３０％の範囲内の長さに沿って延びていることが好ましい。
【００１４】
本発明は、星型折り形状のものであろうと、シートの矩形の側面に全てアラインメントされるような折り部を有するものであろうと、折りたたみ可能な製品の多くの形態に適用可能であるということが、理解されるべきである。また、シートの外周は、一般的な矩形状のものと異なり得る。例えば、湾曲していても可能である。しかし、本発明は、設定されている種類の星型折り形状の折りたたみ可能な製品に特別な適用を有する。これは、対向する側面の１対がもう１対の対向する側面よりも長い対を有していて、シートがほぼ矩形であり、前記シートの主軸が、これの長い方の側面に対して直交しており、そして内折り線の対向する１対もまた、矩形の長い方の側面に対して直交しているものである。このような配置では、エッジの外折り線の各々は、これと関連した外折り線の関連した末端点から、関連したエッジに対して直角に、シートの関連したエッジへと延びていることが好ましい。そしてまた好ましくは、主外折り線の各々は、隣接している内折り線に対して４５°の方向にシートの中心点から外方に延びている。
【００１５】
一般的に、本発明は、シートの２つの主要部が閉じられたとき、内方に面するシートの側面に、情報を有する面を備えているシートに特別な効用を見出す。このような製品では、シートの他側面の部分は、最初に述べたシートよりも硬い材料の裏打ちシートに取着される。これは、主軸を中心に折ることによって、硬い外部のシートが重ねられる際には、前記主要部が本のように合わせられるようになる。これに対してシートの他の部分は、製品が閉じられたときに、折りたたまれたシートが、実質的には前記主要部と同等な領域内の折りたたまれた硬い外部のシート内に、実質的には全て含まれるように、前記折り線の辺りを折ることが出来る。
【００１６】
本発明の実施形態は、少なくとも好ましい形態では、折り線に完全に折り目がつけられている折りたたみ可能な製品の既知の形態と、折り線が完全に穿孔されている折りたたみ可能な製品の既知の形態との効果の組み合わせを提供するように取り決められ得る。本発明に応じて、折り目がつけられた部分が設けられた特別な位置を選択することにより、従前のシステムの組み合わされた効果を提供することが可能である。折り目または刻み目がつけられた部分の位置は、比較的強いストレスがかかる領域によって決定され、ここは、製品が繰り返し使用される間に比較的破けやすくなると思われるところである。
【００１７】
「折り目がつけられた折り線」と「刻み目がつけられた折り線」という用語は同義語として理解されるべきであり、折り線のこの両方の形態は、本明細書中では「折り目がつけられた」という用語の使用によって包含されている。
【発明を実施するための最良の形態】
【００１８】
本発明の実施形態は、添付の図面への参照と共に、例示という方法でこれから説明される。
【００１９】
まず最初に、図1ないし図４を参照すると、ＵＳ−Ａ−４，６３６，１９２に開示されているような種類の折りたたみ可能な製品が示されている。この先行開示では、図1で特に示されるように、硬い紙または他の適切な材料でできたシート１０が記載されており、これは影線の領域Ｆの形状に折りたたまれるようになっており、またこの目的のためには、図1に示された折り線に沿った外折り部並びに内折り部が設けられている。
【００２０】
図1を参照すると、このシート１０は、点線並びに破線で示された多数の折り線を有しており、各ケース毎に、密に設けられた穿孔もしくは切れ目の線によって形成されている。内折り部を生じさせる折り線は、点線で示されており、外折り部を生じさせる折り線は、破線で示されている。これら折り線は、外折り部並びに内折り部が形成されており、１０ａ並びに１０ｂで示される、シート１０の２つの半分部分が、中心軸１１に沿って本のように、シートが折り重ねられ得るように形成されている。この閉じられる動作では、９ａ並びに９ｂで示される、シートの２つの主要部は、一方が他方の上に折り重ねられ、シートの残りの部分は、影線上の領域Ｆで示された領域の内に完全に折りたたまれるように、内方に折られる。
【００２１】
特に図1並びに図２に示されるように、シート１０は、この中心部に、Ｘで示される方向に延び、ほぼ中心点Ｍで交わるような２つの主内折り線１２と、中心点Ｍで同様に交わる４つの主外折り線１３並びに１４とを有している。これら主外折り線１４、１４は、内折り線１２、１２に対して４５°の角度で、お互いに対向してアラインメントされている。そしてこれらの主外折り線１３も同様にアラインメントされ、外折り線１４に対して直交している。これら外折り線１３並びに１４は、シートのほぼ角に向かって延び、角から近距離の位置で長辺１５、１６と交わっている。
【００２２】
各主外折り線１３並びに１４は、これの末端１７並びに１８において、２つのエッジの外折り線１９並びに２０へ分かれている。これら外折り線は、関連した主外折り線１３並びに１４の方向から分岐して、シート１０の夫々のエッジへと延びている。主外折り１３、１４の末端１７、１８の各々は、エッジの内折り線２３、２４を有している。これら内折り線は、関連した主外折り線１３、１４の方向と同じ方向に沿って末端から延びている。エッジの内折り２３、２４の各々は、１５または１６で示されるシート１０のエッジへと延びている。
【００２３】
図２に示されているように、シート１０は、本の形態で、閉じることが可能な、２つの半分部分を有する硬い裏打ちもしくは装丁のシート２５に取着されている。このシート１０は、シートの主要部９ａ並びに９ｂの後方に設けられ、互いに離間した部分で、裏打ちシート２５に装着されている。シート１０の他の領域は、自由に動かすことができ、特に中心点Ｍは裏打ちシート２５に取着されていないが、閉じる間の内折り線１２の内方への動きを可能にしている。図３は、折りたたみ可能な製品の完全な閉じ状態に向けての更なる動きを示しており、また、図４は、この製品の完全な閉じ状態を示している。
【００２４】
今度は図５を参照すると、本発明の実施形態が示されており、これは、折り線の配置以外は既知の配置である図1に示された製品にほぼ対応している。図５における本発明の実施形態と図１の既知の配置とに共通する構成要素と形態とは、同じ参照符号によって示されている。図５では再び、内折り線は点線で示されており、外折り線は破線で示されている。しかし図５では、点線並びに破線は、明確に穿孔を示し、折り線は、実線を更に有している。この実線は、穿孔されていない折り目もしくは刻み目のつけられた折り線を示している。図５による概略的な図では、点線並びに破線の表示は、単に内方もしくは外方の穿孔された折り線を示すためだけであり、特に穿孔の密度または形を示すものではない。
【００２５】
図５の構成を詳細に考察すると、主外折り線１３を規定している折り線の各々は、折り目部分１３ａ並びに穿孔部分１３ｂを有する。この折り目部分１３ａは、中心Ｍから折り線に沿ってシート１０のエッジ、即ち角に向かって延びている。また、前記穿孔部分１３ｂは、前記折り目部分１３ａの端から、主外折り線１３の末端１７へ向かって延びている。同様に、主外折り線１４の各々は、中心Ｍから導かれた折り目部分１４ａと、折り目部分１４ａの端から主外折り線１４の末端１８へ延びている穿孔部分１４ｂとから構成されている。
【００２６】
主内折り線１２を規定している折り線の各々は、２つの折り目部分１２ａと１２ｃ、並びに穿孔部分１２ｂを有する。折り目部分１２ｃは、中心Ｍから折り線に沿って延びており、折り目部分１２ａは、シート１０のエッジ１５または１６から折り線に沿って、中心Ｍに向かって延びている。穿孔部分１２ｂは、折り線の中央部分に沿って延びており、折り目部分１２ａ並びに１２ｃに接続している。
【００２７】
エッジの外折り線１９を規定している折り線の各々は、折り目部分１９ａ並びに穿孔部分１９ｂを有している。前記折り目部分１９ａは、折り線に沿って、シートのエッジ２２から延びており、前記穿孔部分１９ｂは、折り線に沿って、主外折り線１３または１４の末端１７または１８から延びている。同様の折り目部分並びに穿孔部分が、他方のエッジの外折り線２０に設けられている。
【００２８】
エッジの内折り線２３を規定している折り線の各々は、２つの折り目部分２３ａ並びに２３ｃ、及び２つの穿孔部分２３ｂ並びに２３ｄを有している。1つ目の穿孔部分２３ｄは、折り線に沿って、関連した主外折り線１３の末端１７から延びている。折り目部分２３aは、シート１０のエッジ１５または１６から、折り線に沿って中心Ｍに向かって内方に延びている。２つ目の穿孔部分２３ｂと２つ目の折り目部分２３ｃとは、折り線の中央部分に沿って、折り目部分２３ａと穿孔部分２３ｄとが交互になるように、延びている。
【００２９】
製品の様々な代表的な寸法は、図面ではＡないしＩと表示され示されており、添付の表に詳述されたもののようであり得る。
【表１】
2005500576.tif 000003
【００３０】
折り線の折り目部分に関する一般的に好ましい代表的な範囲としては、折り線の折り目部分の各々が、折り線の夫々の長さの３％ないし３０％の範囲の長さに沿って延びていることが好ましい。折り線の折り目部分と穿孔部分との割合の特に好ましい範囲並びに例は、便宜的には、本明細書の序文で詳述されたようなものであり得る。
【００３１】
折り目または刻み目がつけられた折り線の割合の選定は、穿孔された折り線の長さとの割合に対して、折り目または刻み目がつけられた部分が、製品を折りたたんだり開いたりする間に、比較的大きなストレスを受ける場所に位置されるように選定されている。即ち、この場所とは、従来技術の例の中で見出される、製品が最も破けやすくなると思われる領域である。
【００３２】
穿孔線と折り目または刻み目のつけられた折り線とを組み合わせた、図示された発明の実施形態の効果は、特に手動で製造されるときに製品を製造する際に要する時間を低減させ、また使用されている製品に対して発生する損傷を非常に低減させ、そして製品の利用性と有効性を増加させることを含む。かくして、折りたたまれる製品各々の寿命を伸ばしている。
【図面の簡単な説明】
【００３３】
【図１】シートが所定の開かれた形態で配置され、意図された折り線上で穿孔されている、既知の形態の折りたたみ可能な製品を形成する材料のシートを示す図。
【図２】カバーのシートに接着され、部分的に開かれた形態から折りたたまれた形態へ移動する際の、図１の既知の折りたたみ可能なシートを示す図。
【図３】開かれた形態から折りたたまれた形態への途中に位置された、図1のシートの平面図。
【図４】先行の図の折りたたまれたシートの斜視図。正面から見て、シートの主要部の一方が、他方の上に重ねられて一緒に折りたたまれているところを示す図。
【図５】一般的には図１の従来技術の図に対応するが本発明も具体化している、折りたたみ可能な製品のシートの平面図。
【図１】
2005500576.tif 000004
【図２】
2005500576.tif 000005
【図３】
2005500576.tif 000006
【図４】
2005500576.tif 000007
【図５】
2005500576.tif 000008
【国際公開パンフレット】
2005500576.tif 000009
2005500576.tif 000010
2005500576.tif 000011
2005500576.tif 000012
2005500576.tif 000013
2005500576.tif 000014
2005500576.tif 000015
2005500576.tif 000016
2005500576.tif 000017
2005500576.tif 000018
2005500576.tif 000019
2005500576.tif 000020
2005500576.tif 000021
2005500576.tif 000022
2005500576.tif 000023
2005500576.tif 000024
2005500576.tif 000025
2005500576.tif 000026
2005500576.tif 000027
2005500576.tif 000028
2005500576.tif 000029
【国際調査報告】
2005500576.tif 000030
2005500576.tif 000031
2005500576.tif 000032
2005500576.tif 000033
2005500576.tif 000034